(57)【特許請求の範囲】
【請求項１】
ディスク状記録媒体の信号記録領域を走査する磁気ヘッド素子と、
上記磁気ヘッド素子が先端側に支持されたヘッド支持アームと、
上記ヘッド支持アームの基端部が支持される支持基台と、
上記支持基台とともに上記ヘッド支持アームの基端部を挟持して上記支持基台に取り付けられ、上記磁気ヘッド素子が上記ディスク状記録媒体側に近接する方向に上記ヘッド支持アームを弾性変位させる弾性支持部を有するアーム固定部材とを備え、
上記アーム固定部材の弾性支持部と上記ヘッド支持アームとの間に相対係合する係合機構が設けられていることを特徴とする磁気ヘッド装置。
【請求項２】
上記係合機構は、上記アーム固定部材の弾性支持部と上記ヘッド支持アームのいずれか一方に設けられた係合片といずれか他方に設けられた係合孔若しくは係合凹部とから構成されることを特徴とする請求項１記載の磁気ヘッド装置。
【請求項３】
上記係合機構は、上記アーム固定部材の弾性支持部と上記ヘッド支持アームのいずれか一方の延長方向の両側に設けられた一対の係合片といずれか他方の延長方向の両側に設けられた上記係合片がそれぞれ係合する一対の係合凹部とから構成されることを特徴とする請求項１記載の磁気ヘッド装置。
【請求項４】
上記ヘッド支持アームは、上記係合機構により、上記基端部よりも上記磁気ヘッド素子が支持される先端側において上記アーム固定部材と係合されることを特徴とする請求項１記載の磁気ヘッド装置。
【請求項５】
上記ヘッド支持アームは、上記ディスク状記録媒体に対する上記磁気ヘッド素子の摺動方向上流側及び下流側に一対の支持突片が設けられ、該支持突片が上記アーム固定部材に押圧支持されていることを特徴とする請求項１記載の磁気ヘッド素子。
【発明の詳細な説明】
【０００１】
【発明の属する技術分野】
本発明は、光磁気ディスク等のディスク状記録媒体に情報信号を記録する際に用いられる磁気ヘッド装置に関し、特に、ディスク状記録媒体の信号記録領域に近接する方向に弾性変位された磁気ヘッド装置に関する。
【０００２】
【従来の技術】
従来、磁気ディスクや光磁気ディスクなどのディスク状記録媒体の信号記録領域を磁気ヘッド装置によって走査することにより情報信号の記録を行うようにしたディスク記録及び／又は再生装置が用いられている。
【０００３】
この種のディスク記録及び／又は再生装置に用いられる磁気ヘッド装置として、弾性変位可能な板バネにより形成されたヘッド支持アームの先端に磁気ヘッド素子を取り付け、ヘッド支持アームを付勢部材により回動付勢することによって磁気ヘッド素子をディスク状記録媒体に近接させるようにしたものが用いられている。
【０００４】
この磁気ヘッド装置は、支持基台に回動軸を介して回動可能に取り付けられたヘッド取付板に先端側に磁気ヘッド素子を取り付けたヘッド支持アームの基端部を固定し、回動軸を介して支持基台に回動可能に支持し、回動軸に巻装したねじりコイルバネによりヘッド取付板を回動付勢することによって、ヘッド支持アームをディスク状記録媒体側に回動付勢している。ヘッド支持アームがディスク状記録媒体側に回動付勢されることにより、ヘッド支持アームの先端に取り付けた磁気ヘッド素子がディスク状記録媒体の信号記録量域が形成された主面に適度な圧力で接触させられる。
【０００５】
【発明が解決しようとする課題】
ところで、従来用いられている磁気ヘッド装置は、磁気ヘッド素子をディスク状記録媒体に近接する方向に付勢するため、ヘッド支持アームを支持するためのヘッド取付板を設け、このヘッド取付板を回動軸を介して支持基台に回動可能に支持し、さらにヘッド取付板を回動付勢するためのねじりコイルバネを用いているため、部品点数が増加し、組み立てが困難となってしまっている。
【０００６】
また、磁気ヘッド素子を支持したヘッド支持アームは、磁気ヘッド素子をディスク状記録媒体の主面に適度な圧力で接触させるため、薄い板バネにより形成されているため、磁気ヘッド装置に衝撃が加えられると容易に変形してしまうおそれもある。
【０００７】
そこで、本発明の目的は、部品点数の削減を図り、組み立てが容易な磁気ヘッド装置を提供することにある。
【０００８】
本発明に他の目的は、磁気ヘッド素子及びこの磁気ヘッド素子を支持するヘッド支持アームの確実な保護を図ることができる磁気ヘッド装置を提供することにある。
【０００９】
本発明のさらに他の目的は、ディスク状記録媒体の信号記録領域に形成される記録トラックを磁気ヘッド素子が正確に走査し、正確に情報信号の記録を行うことができる磁気ヘッド装置を提供することにある。
【００１０】
【課題を解決するための手段】
上述のような目的を達成するため、本発明に係る磁気ヘッド装置は、ディスク状記録媒体の信号記録領域を走査する磁気ヘッド素子と、この磁気ヘッド素子が先端側に支持されたヘッド支持アームと、このヘッド支持アームの基端部が支持される支持基台と、この支持基台とともにヘッド支持アームの基端部を挟持して支持基台に取り付けられ、磁気ヘッド素子がディスク状記録媒体側に近接する方向にヘッド支持アームを弾性変位させる弾性支持部を有するアーム固定部材とを備え、このアーム固定部材の弾性支持部と上記ヘッド支持アームとの間に相対係合する係合機構が設けられていることを特徴とする。
【００１１】
ここで、アーム固定部材の弾性支持部とヘッド支持アームとの間には、相対係合する係合機構が設けられ、落下等の衝撃が加えられたとき、ヘッド支持アームが変形されることが防止される。
【００１２】
この係合機構は、アーム固定部材の弾性変位部とヘッド支持アームのいずれか一方に設けられた係合片といずれか他方に設けられた係合孔若しくは係合凹部とから構成される。
【００１３】
また、係合機構は、アーム固定部材の弾性変位部とヘッド支持アームのいずれか一方の延長方向の両側に設けられた一対の係合片といずれか他方の延長方向の両側に設けられた係合片がそれぞれ係合する一対の係合凹部とから構成される。
【００１４】
【発明の実施の形態】
以下、本発明に係るホルダ装置及びこのホルダ装置を用いたディスク記録再生装置を図面を参照して説明する。
【００１５】
まず、本発明に係るホルダ装置に挿入保持されるディスクカートリッジを説明すると、このディスクカートリッジ１は、図１及び図２に示すように、上下一対のハーフ２，３を突き合わせ結合して形成したカートリッジ本体４内に情報信号の記録を可能とする光ディスク５を回転自在に収納している。カートリッジ本体４の下面側の中央部には、図２に示すように、このカートリッジ本体４に収納した光ディスク５に中心部に取り付けたディスクハブ６を外方に臨ませる中央開口部７が設け設けられている。また、カートリッジ本体４の上下面の相対向する位置には、このカートリッジ本体４に収納した光ディスク５の主面に形成された信号記録領域の一部を内外周に亘って外方に臨ませる記録用の開口部８及び記録再生用の開口部９が設けられている。これら開口部８，９は、カートリッジ本体４の左右方向の中央部に位置してカートリッジ本体４の中央部近傍から一側面側に亘って形成されている。
【００１６】
また、カートリッジ本体４には、記録用の開口部８及び記録再生用の開口部９を開閉するシャッタ部材１０が移動可能に取り付けられている。シャッタ部材１０が、薄い金属板を断面コ字状に折り曲げて形成され、カートリッジ本体４の一側面側から嵌合するように取り付けられ、カートリッジ本体４に一側面に沿って移動操作される。このシャッタ部材１０は、各開口部８，９を閉塞した位置にあるとき、カートリッジ本体４内に設けたシャッタロック部材１１によりロックされ移動が規制された状態におかれる。そして、シャッタ部材１０は、ディスクカートリッジ１がホルダ装置に挿入されるとき、カートリッジ本体４の一側面側に形成したシャッタ開放部材進入溝１２に進入するホルダ装置側に設けられたシャッタ開放部材によりシャッタロック部材１１によるロックが解除され、各開口部８，９を開放する方向に移動操作される。
【００１７】
シャッタ部材１０の記録用の開口部８及び記録再生用の開口部９をそれぞれ閉塞するシャッタ部１０ａ，１０ｂを連結する連結片１０ｃの中央部には、ホルダ装置側に設けられる移動規制部材が係合する係合孔１３が設けられている。
【００１８】
なお、シャッタ開放部材進入溝１２は、シャッタ部材１０が移動するカートリッジ本体４の一側面に直交する側面を開放端として形成されている。
【００１９】
このように形成されたディスクカートリッジ１は、シャッタ開放部材進入溝１２の開放端が臨まされる側面側を挿入端としてホルダ装置に挿入される。
【００２０】
また、カートリッジ本体４の下面側には、図２に示すように、記録再生用の開口部９の両側に位置するようにしてディスク記録再生装置側に設けられる位置決めピンが係合する一対の位置決め孔１４，１５が設けられている。さらに、カートリッジ本体４には、図２に示すように、光ディスク５への情報信号の記録の可否を識別するための誤記録検出孔１６及びこの誤記録検出１６を開閉する誤記録防止部材１７が設けられている。
【００２１】
上述のように構成されたディスクカートリッジ１が挿入保持される本発明に係るホルダ装置が適用されたディスク記録再生装置は、図３、図４及び図５に示すように、この記録再生装置に装着されるディスクカートリッジ１に収納された情報信号の記録を可能となす光ディスク５を回転駆動するディスク回転駆動機構や、このディスク回転駆動機構によって回転駆動される光ディスク５に対し情報信号の記録再生を行う記録再生機構を構成する光ピックアップ装置などを収納した装置本体２１と、この装置本体２１の上面側に構成されるカートリッジ装着部を開閉する蓋体２２と、装置本体２１と蓋体２２との間に位置し、蓋体２２と連動して回動操作され装置本体２１側に構成されたカートリッジ装着部にディスクカートリッジをローディングするホルダ２３とを備える。
【００２２】
装置本体２１は、略矩形状をなす筐体として形成され、図３及び図４に示すように、前面側に装置本体２１の上面側を閉塞した位置にロックされた蓋体２２のロックを解除する蓋体開放操作釦２４、記録モードを選択する記録モード選択釦２５、このディスク記録再生装置を遠隔操作するリモートコントローラが接続されるリモートコントローラ接続部２６などが設けられている。また、装置本体２１の一側面には、図４に示すように、外部機器を接続するための入出力ジャック部２７，２８及びマイクロホン接続用ジャック部２９などが設けられている。さらに、装置本体２１の背面側には、このディスク記録再生装置を駆動するための電源を供給する電池が収納される電池収納部３０が設けられている。この電池収納部３０への電池の挿脱は、装置本体２１の他側面側に設けられた電池挿脱口を介して行われる。電池挿脱口は、装置本体２１に取り付けた電池蓋３２により開閉される。
【００２３】
蓋体２２の上面側には、図３に示すように、このディスク記録再生装置の操作モードを選択する複数の操作モード選択釦３３や、記録再生される情報信号の内容を示す表示や操作状態などを表示する液晶表示パネルを用いた表示部３４が設けられている。
【００２４】
蓋体２２は、図示しないが、装置本体２１の背面側に回動可能に支持された回動時支持部材に基端部側を固定することによって、装置本体２１に回動可能に取り付けられ、装置本体２１の上面側を開閉する。また、蓋体２２の側方の中途部と装置本体２１との間には、蓋体２２の安定した回動を実現するため、図５に示すように回動アーム３５が連結されている。
【００２５】
そして、装置本体２１の内部には、このディスク記録再生装置の記録再生部を構成するディスク回転駆動機構や光ピックアップ装置やが取り付けられたベース３６が配設されている。このベース３６は、図６及び図７に示すように、剛性の高い金属板を用いて装置本体２１内に収納されるに足る大きさを有する平板な矩形状に形成されている。
【００２６】
ベース３６の上面側には、このディスク記録再生装置に用いられるディスクカートリッジ１が位置決めされて装着されるカートリッジ装着部３７が設けられる。カートリッジ装着部３７が構成されるベース３６の上面側には、図６に示すように、ディスクカートリッジ１に設けた位置決め孔１４，１５に係合する一対の位置決めピン３８，３９が突設されている。ディスクカートリッジ１は、位置決め孔１４，１５を一対の位置決めピン３８，３９にそれぞれ係合させることによって、装着位置が位置決めされてカートリッジ装着部３７に装着される。また、ベース３６の上面側には、カートリッジ装着部３７にディスクカートリッジ１が装着されたことを検出するカートリッジ検出スイッチ４０が設けられている。
【００２７】
ベース３６の略中央部には、図６に示すように、カートリッジ装着部３７に装着されたディスクカートリッジ１に収納された光ディスク５を回転駆動するディスク回転駆動機構４１が取り付けられている。ディスク回転駆動機構４１は、図６及び図７に示すように、スピンドルモータ４２とスピンドルモータ４２のスピンドル４３に一体に取り付けられるディスクテーブル４４とを備える。スピンドルモータ４２は、図６に示すようにスピンドル４３をベース３６の上面側に突出させ、図７に示すようにベース３６の下面側にモータ取付板４５を介して取り付けられている。ディスクテーブル４４は、図６に示すように、ベース３６の上面側に突出されたスピンドル４３の先端側に一体的に取り付けられている。
【００２８】
ディスクカートリッジ１に収納された光ディスク５は、ディスクカートリッジ１がカートリッジ装着部３７に装着されたとき、ディスク回転駆動機構４１のディスクテーブル４４上に載置され、ディスクテーブル４４側に設けたマグネットによりディスクハブ６が吸引されることによりセンタリングが図られてディスクテーブル４４と一体に回転可能な状態にクランプされる。
【００２９】
また、ベース３６には、ディスクテーブル４４にクランプされ、ディスクテーブル４４と一体に回転駆動される光ディスク５の信号記録領域を走査する光ビームを出射する光ピックアップ装置４８が取り付けられている。光ピックアップ装置４８は、光ディスク５の信号記録領域を走査する光ビームを出射する光源である半導体レーザ、光ディスク５から反射された戻りの光ビームを検出する光検出素子、半導体レーザから出射された光ビームと光ディスクから反射された戻りの光ビームを分離するビームスプリッタなどの光学素子を内蔵した光学ブロック４９と、半導体レーザから出射された光ビームを光ディスク５の信号領域に収束させて照射する対物レンズ５０と、対物レンズ５０を介して光ディスク５に照射される光ビームが光ディスクの信号記録領域に合焦されて照射されるとともに光ディスクに形成された記録トラックに追従するように対物レンズ５０をこの対物レンズ５０の光軸方向及び光軸方向に直交する平面方向に駆動変位させる２軸アクチュエータとを備える。
【００３０】
光ピックアップ装置４８は、図６に示すように、ベース３６に形成したピックアップ用開口部５１を介して対物レンズ５０をディスクテーブル４４上の光ディスク５の主面に対向させるようにしてベース３６の下面側に配設される。この光ピックアップ装置４８は、図７に示すように、光学ブロック４９の一端側に設けた軸挿通孔５２をベース３６の下面側に取り付けたガイド軸５３に挿通し、光学ブロック４９の他端側に形成したガイド支持部５４をガイド軸５３と平行にベース３６の一側を折り曲げて形成したガイド片５５に係合させることによって、ディスクテーブル４４に近接離間する方向に移動可能に支持されている。
【００３１】
光ピックアップ装置４８は、ベース３６の下面側に配設されたピックアップ送り機構５６により送り操作されることにより、ガイド軸５３及びガイド片５５にガイドされてディスクテーブル４４に近接離間する方向に移動操作される。ピックアップ送り機構５６は、ガイド軸５３と平行にベース３６の下面側に取り付けられる送りネジ５７と、この送りネジ５７を回転駆動する送りモータ５８とを備える。送りネジ５７は、連結ギヤ機構５９を介して送りモータ５８の駆動軸に連結されている。光ピックアップ装置４８は、光学ブロック４９の一端側に取り付けたネジ係合片６０を送りネジ５７に係合させることによってピックアップ送り機構５６に連結されている。ここで、ピックアップ送り機構５６の送りモータ５８が駆動されて送りネジ５７が回転駆動されると、光ピックアップ装置４８は、ネジ係合片６０が送りネジ５７のネジ山にガイドされて移動されることにより、ガイド軸５３及びガイド片５５にガイドされてディスクテーブル４４に近接離間する図６中矢印Ａ方向及び矢印Ｂ方向に送り操作される。
【００３２】
なお、光ピックアップ装置４８は、対物レンズ５０の光軸がディスクテーブル４４の中心線上に位置するようにガイド軸５３及びガイド片５５に支持されているので、対物レンズ５０を介して照射される光ビームにより光ディスク５の信号記録領域を内外周に亘って正確に走査することができる。
【００３３】
ベース３６のカートリッジ装着部３７が構成される上面側には、図８に示すように、カートリッジ装着部３７にディスクカートリッジ１を装着させるためのホルダ２３が回動可能に取り付けられる。ホルダ２３は、ステンレスなどの薄い金属板を折り曲げて形成されてなるのであって、ディスクカートリッジ１を収納保持するに大きさに形成されている。このホルダ２３は、図８及び図９に示すように、ディスクカートリッジ１の上面側を覆うに足る大きさを有する略矩形状に形成された天板部６２を有し、天板部６２の相対向する両側に、このホルダ２３の挿入されるディスクカートリッジ１の両側を支持する第１及び第２のカートリッジ保持部６３，６４が設けられている。これらカートリッジ保持部６３，６４は、天板部６２の両側を垂直に折り曲げて形成されたホルダ２３の側壁６５，６６と、これら側壁６５，６６の先端側を天板部６２と平行となるように折り曲げて形成されたカートリッジ支持片６７，６８とから構成されている。
【００３４】
ホルダ２３の第１及び第２のカートリッジ保持部６３，６４にが形成された両側に直交する前面側の第１及び第２のカートリッジ保持部６３，６４との間の開放された部分がカートリッジ挿脱口６９となされ、このカートリッジ挿脱口６９を介してディスクカートリッジ１が第１及び第２のカートリッジ保持部６３，６４間に挿入されていく。このとき、ディスクカートリッジ１は、シャッタ部材１１が取り付けられた一側面に直交するシャッタ開放部材進入溝１２の開放端が臨む面側を挿入端としてホルダ２３に挿入されていく。ホルダ２３に挿入されるディスクカートリッジ１は、シャッタ部材１１が取り付けられた一側面側と、この一側面に対向する他側面側が第１及び第２のカートリッジ保持部６３，６４に支持される。
【００３５】
なお、第２のカートリッジ保持部６４を構成するカートリッジ支持片６８の先端側には、ホルダ２３がカートリッジ装着部３７側に回動されたとき、ベース３６側に設けたカートリッジ検出スイッチ４０をホルダ２３内に突出させるスイッチ挿通穴７０が穿設されている。
【００３６】
ホルダ２３は、図１０及び図１１に示すように、第１及び第２のカートリッジ保持部６３，６４を構成する側壁６５，６６の基端部側に穿設した第１及び第２の軸係合孔７１，７２を、図６に示すように、ベース３６の基端部側の両側に形成した第１及び第２の軸部７３，７４に係合させることによりベース３６に回動可能に支持される。
【００３７】
ここで、第１の軸係合孔７１が穿設された側壁６５の基端部側には、第１の軸係合孔７１に連通する切欠部７５が設けられている。この切欠部７５は、ホルダ２３をベース３６に取り付けるとき、第１の軸部７３を挿通させ、第１の軸挿通孔７１に係合させるためのものである。切欠部７５は、第１の軸係合孔７１から天板部６２側に向かって傾斜するように形成されている。
【００３８】
第１の軸係合孔７１が係合する第１の軸部７３は、図６及び図１２に示すように、ベース３６の基端部側の一方の側に立ち上がり形成した立ち上がり片７６の先端側をベース３６の内方に向かって折り曲げた折り曲げ部７７の先端部に形成されている。この第１の軸部７３は、図１２及び図１３に示すように、ベース３６に垂直な方向の長手方向に直交する相対向する短辺側に周面を円弧面とした膨出部７８ａ，７８ｂが形成されている。第１の軸部７３は、膨出部７８ａ，７８ｂが形成された短辺側の幅Ｗ１を第１の軸係合孔７１に連通する切欠部７５の幅Ｗ２より小さく形成され、長手方向の幅Ｗ３を第１の軸係合孔７１の内径Ｒ１よりやや小さく切欠部７５の幅Ｗ２より大きく形成されている。このように第１に軸部７３を形成することにより、第１の軸係合孔７１を第１の軸部７３に直交する方向から係合させるためには、切欠部７５を膨出部７８ａが形成された短辺側から挿通させる必要があり、切欠部７５を介して第１の軸係合孔７１に第１の軸部７３を係合させた後、ホルダ２３をベース３６側に回動し、切欠部７５を第１の軸部７３の長手方向に対向させると、第１の軸係合孔７１の第１の軸部７３からの抜け止めが図られる。
【００３９】
このように構成される第１の軸部７３は、次のような工程を経て製造される。
【００４０】
まず、ベース３６の背面側の一側に、図１４に示すように、先端側に第１の軸部７３の基材となる高さ方向を長手方向とする断面形状を長方形とする突片８０を設けた略Ｌ字状をなす立ち上がり片７６を形成する。次に、この立ち上がり片７６の突片８０が設けられた先端側を、図１５に示すように、ベース３６の内方に向かって９０°折り曲げる。次に、突片８０の長手方向に直交する相対向する短辺側から、図１６に示すように、成形面８１ａ，８２ａを円弧面とした一対の金型８１，８２を用いて一定の圧力を加え変形させることによって、突片８０の短辺部分に周面を円弧面とした膨出部７８ａ，７８ｂが形成された第１の軸部７３が形成される。
【００４１】
このように、第１の軸部７３は、ベース３６の一部を折り曲げて形成した立ち上がり片７６の先端に設けた突片８０をプレス成形して一体に形成されるので、独立に形成した軸などを取り付ける必要もなく、部品点数の削減を図ることができる、軸の形成も容易となる。また、膨出部７８ａ，７８ｂの周面は円弧面として形成されているので、第１の軸部７３に円形の第１の軸係合孔７１を係合させたとき、軸係合孔７１の円滑な回転が保証される。
【００４２】
また、第２の軸係合孔７２が係合する第２の軸部７４は、図６に示すように、ベース３６の基端部側の他方の側に立ち上がり形成した立ち上がり片８３の先端側の一部をベース３６の外方に向かって折り曲げることによって形成されている。第２の軸部７４は、第２の軸係合孔７２が挿通するに足る径を有するように形成される。なお、第２の軸部７４も、第１の軸部７３と同様に、立ち上がり片８３の先端側に設けた断面形状を矩形状となす突片の相対向する面側を成形面を円弧面とした一対の金型を用いて一定の圧力を加え変形させることにより、周面を円弧面とした膨出部を設けるようにしてもよい。このような膨出部を形成することにより、第２の軸７４に係合する円形をなす第２の軸係合孔７２の円滑な回転が保証される。
【００４３】
上述のように形成された第１及び第２の軸係合孔７１，７２と、これら軸係合孔７１，７２が係合する第１及び第２の軸部７３，７４とからなる支持機構を用いてホルダ２３をベース３６に回動可能に支持するには、図１７に示すように、ホルダ２３をベース３６に対し略垂直に配置する。このとき、第１の軸係合孔７１に連通する切欠部７５が第１の軸部７３の膨出部７８ａが形成された短辺に対向する状態となされ、第１の軸部７３に挿通可能な状態となる。ここで、第２の軸係合孔７２を第２の軸部７４に挿通し、次いで切欠部７５を介して第１の軸部７３に第１の軸係合孔７１を係合させることにより、ホルダ２３は第１及び第２の軸部７３，７４を介して回動可能な状態にベース３６に支持される。
【００４４】
第１及び第２の軸係合孔７１，７２をそれぞれ第１及び第２の軸部７３，７４に係合させた後、ホルダ２３をベース３６側に回動すると、図１８に示すように、切欠部７５が第１の軸部７３の膨出部７８ａ，７８ｂが形成された短辺に直交する長手方向に対向するようになり、第１の軸係合孔７１の第１の軸部７３からの抜け止めが図られ、第１及び第２の軸係合孔７１，７２が第１及び第２の軸部７３，７４に係合された状態が保持される。
【００４５】
ホルダ２３は、ベース３６側に図１８に示す状態になるまで図１８中矢印Ｃ１方向に回動されると、切欠部７５が形成された側壁６５の基端部がベース３６の基端部側に立ち上がり形成された移動係止片８５の一側に対向するようになり第１及び第２の軸部７３，７４の軸方向への移動が規制され、第１及び第２の軸部７３，７４からの抜け止めが図られる。
【００４６】
ところで、ホルダ２３は、ベース３６側に図１８に示す状態になるまで矢印Ｃ１方向に回動されると、側壁６５の基端部側に形成した係合片８６がベース３６側に設けた係止部８７に係合し、ベース３６から離間する図１８中矢印Ｃ２方向への回動が規制された状態となる。係合片８６が係止部８７に係合された状態にあるとき、ホルダ２３は第１及び第２の軸部７３，７４を中心にベース３６から一定量回動された状態にあって、図５に示すように、前面側のカートリッジ挿脱口６９を装置本体２１の外方に臨ませ、ディスクカートリッジ１の挿脱を可能となす位置におかれる。
【００４７】
係止部８７は、ホルダ２３が図１８中矢印Ｃ１方向へ回動されるとき、ホルダ２３側の係合片８６を係止させ、ホルダ２３の図１８中矢印Ｃ２方向へさらなる回動を規制するだけのもので、ホルダ２３は図１８に示す様態から図１８中矢印Ｃ１方向のベース３６側に向かう方向の回動は許容されている。ホルダ２３は、第１及び第２の軸部７３，７４を中心にして図１８中矢印Ｃ１方向に回動され、図１９に示すようにベース３６と平行となる位置まで回動される。すなわち、ホルダ２３は、ベース３６から離間した図１８に示す上昇位置と、ベース３６側に近接した図１９に示す下降位置と間に亘って回動可能となされている。
【００４８】
なお、ホルダ２３がベース３６に近接した下降位置まで回動された図１９に示す状態は、ホルダ２３に挿入保持されたディスクカートリッジ１をベース３６上に構成されたカートリッジ装着部３７に位置決め装着させた状態であり、ディスクカートリッジ１に収納された光ディスク５をディスク回転駆動機構４１に装着して回転駆動し、情報信号の記録再生が行われる状態である。
【００４９】
ホルダ２３に設けられる係合片８６は、第１のカートリッジ保持部６３を構成する側壁６５の基端部側に切り込み８８ａを穿設して形成された弾性変位片８８の先端側の一部をホルダ２３の外方に向けて折り返すことによって形成されている。また、係合片８６を係止する係止部８７は、ベース３６の一方の側に立ち上がり形成した立ち上がり片８９の中央部に切り込みを設けて形成した突片をベース３６の内方に折り曲げて形成されている。
【００５０】
装置本体２１内に配置されるベース３６に回動可能に取り付けられるホルダ２３は、蓋体２２と連動して回動するように、図５及び図１８に示すように、第１のカートリッジ保持部６３を構成する側壁６５の前端側に形成された回動連動片９０を蓋体２２の前端側の一側に設けた連結片１０６に穿設された係合孔１０７に係合させている。このように、回動連動片９０を蓋体２２側の連結片１０６に係合することにより、ホルダ２３は、蓋体２２の回動に連動して回動可能となる。
【００５１】
ここで、連結片９１が係合する連結片１０６に設けられた係合孔１０７は、連結片９１の厚さに比し大きな開口を有して形成されているので、蓋体２２は、係合孔１０７の範囲でホルダ２３から離間するようにさらに図１８中矢印Ｃ２方向に回動可能となされている。このように蓋体２２がホルダ２３からさらに離間する方向に、回動可能となされることにより、ホルダ２３の周囲から前面側のカートリッジ挿脱口６９を覆うような形状に形成された場合であっても、ホルダ２３がディスクカートリッジ１の挿脱を可能とする位置まで回動されたとき、蓋体２２がさらに図１８中矢印Ｃ２方向に回動することにより、ホルダ２３の前面側に構成されたカートリッジ挿脱口６９を大きく開放させることができる。カートリッジ挿脱口６９が大きく開放されることにより、確実にディスクカートリッジ１の挿脱を行うことが可能となる。
【００５２】
ところで、ホルダ２３には、このホルダ２３が図１８に示すようにベース３６から離間した上昇位置であってディスクカートリッジ１の挿脱を可能となす位置に回動されるとき、蓋体２２をホルダ２３から離間する方向にさらに回動させるための第１の弾性変位部を構成する一対の第１及び第２の蓋体回動付勢板９１，９２が設けられている。これら第１及び第２の蓋体回動付勢板９１，９２は、図９に示すように、ホルダ２３の天板部６２にＵ字状の切り込み９１ａ，９２ａを穿設することによって天板部６２と一体に形成されている。第１及び第２の蓋体回動付勢板９１，９２は、図９に示すように、天板部６２の中央部側を連接部としてそれぞれ第１及び第２のカートリッジ保持部６３，６４側に向かって延長するように形成されている。これら第１及び第２の蓋体回動付勢板９１，９２は、天板部６２を覆うように配設される蓋体２２の内面側を押圧付勢するように、自由端側が天板部６２の上方に突出するように変位されている。すなわち、第１及び第２の蓋体回動付勢板９１，９２は、図２０に示すように、天板部６２への連接部側から自由端側に向かって上方に突出するように傾斜して形成されている。第１及び第２の蓋体回動付勢板９１，９２の自由端側には、蓋体２２の内面を確実に押圧するように、蓋体押圧突起９３，９４が上方に向かって突出するように形成されている。
【００５３】
また、第１及び第２の蓋体回動付勢板９１，９２には、第２の弾性変位部を構成する第１及び第２のカートリッジ押圧片９５，９６が一体に形成されている。これらカートリッジ押圧片９５，９６は、第１及び第２の蓋体回動付勢板９１，９２の一部を分岐して形成されてなるものであって、これら蓋体回動付勢板９１，９２の自由端側が基端側に向かって切り込み９５ａ，９５ｂを穿設することによって形成される。第１及び第２のカートリッジ押圧片９５，９６は、ディスクカートリッジ１を保持したホルダ２３が蓋体２２とともに図１９に示すようにベース３６に近接した記録再生位置に回動されたとき、ディスクカートリッジ１をカートリッジ装着部３７側に押圧支持するものであって、図２０に示すように、第１及び第２の蓋体回動付勢板９１，９２に対しホルダ２３側に向かって変位されている。すなわち、第１及び第２のカートリッジ押圧片９５，９６は、蓋体２２が装置本体２１を閉塞位置に回動されるとともにホルダ２３が記録再生位置に回動され、図２１に示すように、第１及び第２の蓋体回動付勢板９１，９２が蓋体２２により押圧されて天板部６２側に弾性変位されたとき、ホルダ２３内に進入するようにホルダ２３側に向かって変位されてなるものであって、第１及び第２の蓋体回動付勢板９１，９２に対しホルダ２３の厚さ方向に初期変位量を異にして形成されている。
【００５４】
第１及び第２のカートリッジ押圧片９５，９６の自由端側にも、カートリッジ装着部３７に装着されたディスクカートリッジ１の上面側を確実に押圧するようにするため、ホルダ２３側に向かって突出する押圧突起９７，９８が形成されている。
【００５５】
さらに、ホルダ２３の第１のカートリッジ保持部６３を構成する側壁６５の長手方向の略中央部には、図９及び図１０に示すように、ホルダ２３に挿入されるディスクカートリッジ１の一側面側に形成したシャッタ開放部材進入溝１２に進入し、シャッタロック部材１１を弾性変形されてシャッタ部材１０のロックを解除するとともに、シャッタ部材１０をホルダ２３の内方に挿入されるカートリッジ本体４に対し相対移動させて記録用の開口部８及び記録再生用の開口部９を開放させる方向に移動させるシャッタ開放部材９９がホルダ２３の内方に向かって折り返し形成されている。
【００５６】
第１のカートリッジ保持部６３を構成する側壁６５のシャッタ開放部材９９が設けられた位置よりカートリッジ挿脱口６９側の位置には、図９及び図１０に示すように、ホルダ２３に挿入されたディスクカートリッジ１に取り付けられたシャッタ部材１０を記録再生用の開口部８，９を開放した位置に保持するとともに、ディスクカートリッジ１をホルダ２３からイジェクトする際、ホルダ２３から突出される方向に移動されるカートリッジ本体４に対しシャッタ部材１０を保持し、シャッタ部材１０を記録用の開口部８及び記録再生用の開口部９を閉塞する方向に移動させる第３の弾性変位部を構成するシャッタ部材保持片１０１が設けられている。このシャッタ部材保持片１０１は、側壁６５にＵ字状の切り込み１０１ａを穿設することによって側壁６５に一体に形成されている。シャッタ部材保持片１０１は、図１０に示すように、側壁６５の基端部から先端部側に向かって延長するように形成され、先端部側にシャッタ部材１０の連結片１０ｃに設けた係合孔１３に係合する係合突部１０２が形成されている。係合突部１０２は、シャッタ部材保持片１０１の先端部側の一部をホルダ２３の内方に突出するように折り曲げて形成されている。
【００５７】
ホルダ２３の第２のカートリッジ保持部６４を構成する側壁６６の基端部側には、図１１に示すように、ディスクカートリッジ１の誤挿入を防止する誤挿入防止片１０３が設けられている。この誤挿入防止片１０３は、側壁６６の一部をホルダ２３の内方に折り曲げて形成されている。誤挿入防止片１０３は、ディスクカートリッジ１が正規の挿入方向に対し９０°向きを異にして、例えばシャッタ部材１０が取り付けられて一側面側を挿入端としてホルダ２３に挿入されたような場合に、ホルダ２３への挿入を規制して誤挿入を防止するものである。
【００５８】
さらに、ホルダ２３の天板部６２には、図９に示すように、ホルダ２３に挿入されるディスクカートリッジ１の挿入端側の上面を押圧支持する第４の弾性変位部を構成する第３のカートリッジ押圧片１０４が一体に形成されている。第３のカートリッジ押圧片１０４は、天板部６２にＵ字状の切り込み１０４ａを穿設することによって、ディスクカートリッジ１のホルダ２３への挿入方向に向かって延長するように天板部６２と一体に形成されている。第３のカートリッジ押圧片１０４は、ホルダ２３に挿入されたディスクカートリッジ２３を第１及び第２のカートリッジ保持部６２，６３のカートリッジ支持片６７，６８側に押圧するように、先端側がホルダ２３の内方に突出するように変位されている。第３の押圧片１０４の先端側には、ホルダ２３の内方に向かって突出する突出部１０５が設けられている。
【００５９】
このように天板部６２にホルダ２３に挿入されるディスクカートリッジ１を押圧する第３のカートリッジ押圧片１０４が設けられることにより、ディスクカートリッジ１のカートリッジ支持片６７，６８からの浮き上がりを防止して安定した状態でホルダ２３に挿入することができる。第３のカートリッジ押圧片１０４は、ホルダ２３が図１９に示すようにベース３６側に下降された記録再生位置に移動されたときには、ホルダ２３に保持されたディスクカートリッジ１をカートリッジ装着部３７側に押圧支持する。
【００６０】
上述したように、ホルダ２３が蓋体２２とともにディスクカートリッジ１の挿脱を可能となすベース３６から離間した上昇位置に位置に移動されるとき、蓋体２２をホルダ２３から離間する方向に回動付勢する第１及び第２の蓋体回動付勢板９１，９２、ホルダ２３に保持されたディスクカートリッジ１をカートリッジ装着部６７側に押圧支持する第１及び第２のカートリッジ押圧片９５，９６、シャッタ部材保持片１０１、ホルダ２３に挿入されるディスクカートリッジ１を押圧支持する第３のカートリッジ押圧片１０４などのホルダ２３に設けられる弾性変位される部材をホルダ２３と一体に形成しているので、部品点数の削減が図られ、ホルダ２３の組み立てが容易となる。
【００６１】
本発明に係るディスク記録再生装置には、ホルダ２３がカートリッジ装着部３７側に下降した位置から上昇した位置に回動されるとき、ホルダ２３に挿入保持されたディスクカートリッジ１をホルダ２３からイジェクトするイジェクト機構１１０が設けられている。このイジェクト機構１１０は、図６に示すように、ベース３６の背面側の一方の側に位置して配設され、ベース３６上に回動可能に支持されたホルダ２３に挿入されるディスクカートリッジ１の挿入端によって弾性変位されるイジェクトレバー１１１を備えている。
【００６２】
イジェクトレバー１１１は、弾性変位可能な金属の板バネを用いて形成され、図２２に示すように、基端部側にベース３６への固定端となる取り付け片１１２が設けられている。取り付け片１１２の一端側には、ベース３６に突設したカシメ軸１１３に挿通される固定端となる軸挿通孔１１４が穿設されている。この取り付け片１１２の他端側の一側からは、軸挿通孔１１４側に向かってホルダ２３に挿入されるディスクカートリッジ１の挿入端によって押圧操作される押圧操作部１１５が延長されている。この押圧操作部１１５は、取り付け片１１２に垂直に折り曲げるように連接され、取り付け片１１２への連接部側から先端側に向かって傾斜するように延長されている。すなわち、押圧操作部１１５は、イジェクトレバー１１１がベース３６上に取り付けられたとき、先端側がベース３６から離間するように傾斜して取り付け片１１２から延長されている。また、押圧操作部１１５は、取り付け片１１２への連接部及び中途部に設けた折り曲げ部１１６，１１７に沿って略くの字状折り曲げられている。すなわち、押圧操作部１１５は、図２３に示すように、イジェクトレバー１１１がベース３６上に取り付けられたとき、ホルダ２３に挿入されたディスクカートリッジ１をホルダ２３から排出する方向に倣い変形されている。なお、押圧操作部１１５の中途部に設けられる折り曲げ部１１７は、図２３に示すように、押圧操作部１１５の先端側がベース３６から離間する上方に向かって変形されるように斜めに設けられている。
【００６３】
また、押圧操作部１１５の先端側の上縁側には、図９に示すようにホルダ２３の天板部６２の背面側に設けられた係止孔１１８に係合する係止片１１９が突設されている。この係止片１１９は、ホルダ２３に挿入されるディスクカートリッジ１によって押圧操作部１１５が押圧されて弾性変位され、ホルダ２３の背面側に移動したとき、係止孔１１８に係合する。押圧操作部１１５は、係止片１１９が係止孔１１９に係止されることによりディスクカートリッジ１によって弾性変形された位置に保持され、ホルダ２３に保持されたディスクカートリッジ１を押圧操作することが規制される。
【００６４】
取り付け片１１２の他端側には、ベース３６に穿設した回動規制孔１２０に挿通されベース３６の下面側に突出する係合片１２１が設けられている。この係合片１２１は、ベース３６に回動可能に支持されたホルダ２３が下降位置である記録再生位置側に回動されたとき、図１１に示すように、ホルダ２３の第２のカートリッジカートリッジ保持部６４を構成するカートリッジ支持片６８の一部を垂下するように折り返して形成した係合解除片１２２と相対係合する。
【００６５】
また、取り付け片１１２の固定端となる軸挿通孔１１４が穿設された一端側と押圧操作部１１５の連接部との間に切欠孔１２３が穿設され、この切欠孔１２３の両側に一対の弾性変位部１２４，１２４が形成されている。これら弾性変位部１２４，１２４は、取り付け片１１２を押圧操作部１１５の延長方向と直交する図２２中矢印Ｄ１方向に弾性変位可能とするものである。
【００６６】
上述のように形成されたイジェクトレバー１１１は、図２４に示すように、押圧操作部１１５をベース３６の背面側に延長するように位置させ、係合片１２１を回動規制孔１２０に挿通し、軸挿通孔１１４をカシメ軸１１３に挿通し、このカシメ軸１１３の先端部を折り返すことによって、カシメ軸１１３を中心にベース３６上に回動可能に取り付けられる。このとき、イジェクトレバー１１１は、係合解除片１２１が回動規制孔１２０内で移動する範囲でカシメ軸１１３を中心に回動可能となされている。
【００６７】
イジェクトレバー１１１は、図２５に示すように、ディスクカートリッジ１の挿脱を可能となす上昇位置に回動されたホルダ２３にディスクカートリッジ１が挿入されると、ホルダ２３内に延長された押圧操作部１１５がディスクカートリッジ１の挿入端によって押圧され、係合片１２１が回動規制孔１２０の一側に当接するようにカシメ軸１１３を中心にして図２４中矢印Ｅ１方向に回動される。係合片１２１が回動規制孔１２０の一側に当接して回動が規制された状態からさらにホルダ２３にディスクカートリッジ１が挿入されていると、押圧操作部１１５がディスクカートリッジ１の挿入端に押圧されてホルダ２３の背面側に向かう図２６中矢印Ｅ１方向に弾性変位されていく。ディスクカートリッジ１が、図２７に示すように、ホルダ２３の保持位置まで挿入されると、押圧操作部１１５がホルダ２３の背面側に沿うように弾性変形される。このとき、押圧操作部１１５は先端側がホルダ２３の天板部６２側に向かうように傾斜されているので、押圧操作部１１５の先端側の設けた係止片１１９が、図２８に示すように、中ホルダ２３の天板部６２の背面側に形成した係止孔１１８に天板部６２の下面側から挿入して係合する。係止片１１９がホルダ２３側に係止孔１１８に係止されることにより、イジェクトレバー１１１は、押圧操作部１１５がホルダ２３の背面側に沿うように弾性変形され位置に保持され、ホルダ２３に保持されたディスクカートリッジ１を押圧操作することが規制される。
【００６８】
ディスクカートリッジ１が保持され、イジェクトレバー１１１が弾性変位されたホルダ２３の背面側に係止された状態でホルダ２３をベース２３に近接する記録再生位置側に下降するようにベース３６に設けた支軸７３，７４を中心にして、図２５中矢印Ｆ１方向に回動し、図２９に示すようにベース３６に近接した記録再生位置まで回動されると、ホルダ２３に設けた係合解除片１２２がイジェクトレバー１１１に設けた係合片１２１に係合する。
【００６９】
ホルダ２３が記録再生位置まで回動されると、このホルダ２３に保持されたディスクカートリッジ１はカートリッジ装着部３７に位置決め装着され、ディスクカートリッジ１に収納された光ディスク５がディスク回転駆動機構４１のディスクテーブル４４にクランプされ、光ディスク５を回転駆動して情報信号の記録再生を可能な状態となされる。
【００７０】
カートリッジ装着部３７に装着されたディスクカートリッジ１をイジェクトするため、蓋体２２とともにホルダ２３をベース３６から離間する図２９中矢印Ｆ２方向の上昇方向に回動すると、係合解除片１２２が係合片１２１を持ち上げるように図２９中矢印Ｇ１方向に押圧する。係合片１２１が図２９中矢印Ｇ１方向に押圧されると、取り付け片１１２がカシメ軸１１３を中心に図２７中Ｅ２方向に回動されるとともに弾性変位部１２４，１２４を中心にしてベース３６から離間する図２３、図２８及び図２９中矢印Ｈ１方向に回動変位される。取り付け片１１２が図２３中矢印Ｈ１方向に回動変位されると、押圧操作部１１５がホルダ２３の天板部６２から離間する方向の図２８中矢印Ｊ１方向に回動変位される。押圧操作部１１５が図２８中矢印Ｊ１方向に回動変位されると、図３０に示すように、係止片１１９の係止孔１１８への係合が解除される。係止片１１９の係止孔１１８への係合が解除されると、ディスクカートリッジ１のホルダ２３への挿入によって弾性変位され弾性変位力が蓄積されていたイジェクトレバー１１１の押圧操作部１１５がホルダ２３内に突出するように図２６及び図２７中矢印Ｅ２方向に弾性復帰し、ホルダ２３に挿入保持されたディスクカートリッジ１をホルダ２３の外方に突出させ、ホルダ２３から取り出し可能な状態とする。
【００７１】
ところで、ホルダ２３がベース３６から離間する上昇方向に回動されとき、取り付け片１１２がカシメ軸１１３を中心に図２７中矢印Ｅ２方向に回動されるので、係合片１２１は係合解除片１２２から離間した状態におかれる。このとき、カシメ軸１１３は、取り付け片１１２を固定した程度の押圧力を付与して支持しているので、取り付け片１１２は一旦回動された位置に保持され、係合片１２１が係合解除片１２２から離間した状態におかれる。このように、ディスクカートリッジ１をイジェクトしたとき、係合片１２１が係合解除片１２２から離間した状態におかれるので、ディスクカートリッジ１が挿入されないホルダ２３が記録再生位置側の図２５中矢印Ｆ１方向に回動されるとき、また、ホルダ２３を記録再生位置側から上昇位置側に向かって回動されるとき、係合片１２１と係合解除片１２２との当接が回避されるので、不快な衝突音を発生することを防止することができる。
【００７２】
上述したように構成されたイジェクト機構は１１０は、弾性変位可能な金属板などによって形成されたイジェクトレバー１１１のみでホルダ２３に挿入されたディスクカートリッジ１のイジェクトを行う機構を構成できるので、部品点数が削減され、構成も極めて簡単なものとすることができる。
【００７３】
上述したイジェクト機構１１０は、ホルダ２３にディスクカートリッジ１が保持されたとき、イジェクトレバー１１２をホルダ２３側に係止するように構成しているが、イジェクトレバー１１２の押圧操作部１１５をベース３６側に傾斜するように形成し、ベース３６側に係止片１１９を設けることにより、ベース３６側にイジェクトレバー１１２を係止するようにすることができる。
【００７４】
また、本発明に係るディスク記録再生装置は、図８に示すように、ディスク回転駆動機構４１によって回転駆動される光ディスク５に対し情報信号の記録行うための磁気ヘッド装置１３１を備えている。磁気ヘッド装置１３１は、光ピックアップ装置４８と共同して光ディスク５に対し情報信号の記録を行うものであるので、図３１に示すように、ディスク回転駆動機構４１によって回転駆動される光ディスク５を挟んで光ピックアップ装置４８に対向して配置される。また。磁気ヘッド装置１３１は、光ディスク５の光ピックアップ装置４８から出射される光ビームが照射される位置に記録すべき情報信号に基づいて変調された外部磁界を印可するようになすため、光ピックアップ装置４８と同期して光ディスク５の径方向に移動操作される。そこで、磁気ヘッド装置１３１は、図３１に示すように、連結部材１３２を介して光ピックアップ装置４８の光学ブロック４９に連結されている。磁気ヘッド装置１３１を光学ブロック４９に連結する連結部材１３２は、図３１及び図３２に示すように、剛性の高い金属板をコ字状に折り曲げて形成され、下端側に光学ブロック４９の下面側に固定するための固定片１３３が設けられ、固定片１３３の一端側に垂直に折り曲げられた立ち上がり片１３４が設けられ、この立ち上がり片１３４の先端側に固定片１３３と相対向するように折り曲げられた支持基台となる支持アーム取り付け片１３５が設けられている。連結部材１３２は、支持アーム取り付け片１３５をホルダ２３の天板部６２上に臨むようにして、固定片１３３を光学ブロック４９の下面側に固定して光ピックアップ装置４８に連結される。固定片１３３の光学ブロック４９への固定は、固定片１３３に穿設したネジ挿通孔１３６，１３７に挿通される固定ネジ１３８，１３８を光学ブロック４９の下面側に螺合することによって行われる。
【００７５】
光学ピックアップ装置４８に連結された連結部材１３２の支持アーム取り付け片１３５上に支持される磁気ヘッド装置１３１は、図８及び図３２に示すように、先端側に磁気ヘッド素子１４０を支持したヘッド支持アーム１４１と、ヘッド支持アーム１４１の過剰な変位を規制するアーム支持板１４２と、ヘッド支持アーム１４１の基端部側に形成された支持片１４３を支持アーム取り付け片１３５とともに挟持して支持アーム取り付け片１３５に固定するアーム固定部材１４４を備える。
【００７６】
先端側に磁気ヘッド素子１４０を支持したヘッド支持アーム１４１は、リン青銅などの弾性を有する薄い金属板を打ち抜いて形成されている。磁気ヘッド素子１４０は、弾性変位可能なヘッド支持アーム１４１の先端側に支持されることにより、光ディスク５の信号記録領域を走査するとき、光ディスク５が面振れを発生させて回転駆動されたとしても、ヘッド支持アーム１４１が弾性変形することにより光ディスク５の主面からの浮き上がりを防止して正確に信号記録領域を走査していくことができる。
【００７７】
ヘッド支持アーム１４１の基端部側に形成された支持片１４３には、支持アーム取り付け片１３５に突設された位置決め突起１４５，１４６に係合する位置決め孔１４７，１４８が穿設されている。一方の位置決め孔１４７は、一方の位置決め突起１４５への係合位置を調整し得るように、ヘッド支持アーム１４１の延長方向に直交する方向を長径として形成されている。ヘッド支持アーム１４１は、位置決め孔１４７，１４８を位置決め突起１４５，１４６に係合させて支持アーム取り付け片１３５上に支持されることにより、支持アーム取り付け片１３５に対する取付位置が位置決めされる。また、支持片１４３の位置決め孔１４７，１４８間には、アーム固定部材１４４を支持アーム取り付け片１３５に固定する固定ネジ１４９が挿通されるネジ挿通孔１５０が穿設されている。
【００７８】
アーム支持板１４２は、図３２に示すように、先端側にヘッド支持アーム１４１の磁気ヘッド素子１４０を支持した先端側の下面を支持するＬ字状に折り曲げられたアーム支持部１５１が設けられ、基端部側に支持アーム取り付け片１３５上に載置される一対の支持突片１５２，１５３が突設されている。これら支持突片１５２，１５３の先端側には、支持アーム取り付け片１３５に穿設した係合孔１５４，１５５に係合する係合突起１５２ａ，１５３ａが折り曲げ形成されている。アーム支持板１４２は、アーム支持部１５１をヘッド支持アーム１５１の下面側に臨ませてヘッド支持アーム１５１上に重ね合わせられ、ヘッド支持アーム１５１に重ね合わせられた部分の一部を溶接するなどしてヘッド支持アーム１５１に一体的に取り付けられる。このとき、支持突片１５２，１５３は、ヘッド支持アーム１４１の両側に位置してヘッド支持アーム１４１の基端部側に延長される。
【００７９】
アーム固定部材１４４は、弾性を有する薄い金属板を用いて形成され、図３２に示すように、基端部側に支持アーム取り付け片１３５への固定部１５６が設けられている。固定部１５６には、支持アーム取り付け片１３５に設けた位置決め突起１４５，１４６に係合するが位置決め孔１５７，１５８が穿設されている。一方の位置決め孔１５７は、ヘッド支持アーム１４１に設けられる一方の位置決め孔１４７と同様に、一方の位置決め突起１４５への係合位置を調整し得るように、アーム固定部材１４４の延長方向に直交する方向を長径として形成されている。アーム固定部材１４４は、位置決め孔１５７，１５８を位置決め突起１４５，１４６に係合させて支持アーム取り付け片１３５上に支持されることにより、支持アーム取り付け片１３５に対する取付位置が位置決めされる。また、位置決め孔１５７，１５８間には、アーム固定部材１４４を支持アーム取り付け片１３５に固定する固定ネジ１４９が挿通されるネジ挿通孔１６０が穿設されている。
【００８０】
また、固定部１５６の両側には、図３２に示すように、支持アーム取り付け片１３５の両側を挟むように取付位置規制片１６１，１６１が垂下するように折り曲げ形成されている。これら、取付位置規制片１６１，１６１の折り曲げ基部には、支持アーム取り付け片１３５の両側に突設した係合突起１６２，１６２に係合する係合孔１６３，１６３が穿設されている。アーム固定部材１４４は、取付位置規制片１６１，１６１により支持アーム取り付け片１３５の両側を挟持し、係合孔１６３，１６３を係合突起１６２，１６２に係合して支持アーム取り付け片１３５に取り付けられることにより、固定ネジ１４９を中心とした回転方向の移動が確実に規制される。
【００８１】
そして、アーム固定部材１４４には、固定部１５６の先端側に、ヘッド支持アーム１４１からこのヘッド支持アーム１４１上に重ね合わせて取り付けられたアーム支持板１４２上に延長される押圧支持部１６５が設けられている。この押圧支持部１６５は、情報信号の記録時に磁気ヘッド素子１４０が光ディスク５に一定の接触圧を持って接触するように、ヘッド支持アーム１４１を、図３１中矢印矢印Ｋ１方向の光ディスク５側に押圧付勢するものであり、支持アーム取り付け片１３５上に取り付けられたとき、ヘッド支持アーム１４１を光ディスク５側に押圧付勢するように折り曲げ変形されている。押圧支持部１６５の先端側には、アーム支持板１４２及びヘッド支持アーム１４１に連通して穿設された係合孔１６６に係合する係合突起１６７が折り曲げ形成されている。また、押圧支持部１６５の両側には、アーム支持板１４２の基端部側に形成された支持突片１５２，１５３を押圧支持する押圧支持片１６８，１６９が突設されている。
【００８２】
上述のように構成された磁気ヘッド装置１３１のヘッド支持アーム１４１は、支持片１４３に設けた位置決め孔１４７，１４８を位置決め突起１４５，１４６に係合させることにより、支持アーム取り付け片１３５に対する取付位置が位置決めが図られて支持アーム取り付け片１３５上に支持される。このとき、ヘッド支持アーム１４１上に重ね合わせるように一体に取り付けられたアーム支持板１４２に設けた支持突片１５２，１５３が先端側の係合突起１５２ａ，１５３ａを支持アーム取り付け片１３５に穿設した係合孔１５４，１５５に係合させて支持アーム取り付け片１３５上に載置される。
【００８３】
ヘッド支持アーム１４１が支持された支持アーム取り付け片１３５上には、図３３に示すように、アーム固定部材１４４が取り付けられる。アーム固定部材１４４は、固定部１５６に設けた位置決め孔１５７，１５８を支持アーム取り付け片１３５上に支持されたヘッド支持アーム１４１に設けた位置決め孔１４７，１４８から突出する位置決め突起１４５，１４６に係合することにより、支持アーム取り付け片１３５に対する取付位置が位置決めされる。このとき、取付位置規制片１６１，１６１が支持アーム取り付け片１３５の両側に折り曲げられ、図３３に示すように、係合孔１６３，１６３に係合突起１６２，１６２が係合される。
【００８４】
アーム固定部材１４４は、ヘッド支持アーム１４１上に重ね合わせられて支持アーム取り付け片１３５上に支持されたとき、図３３に示すように、押圧支持部１６５がヘッド支持アーム１４１からアーム支持板１４２上に延長され、ヘッド支持アーム１４１を図３１及び図３３中矢印Ｋ１方向の光ディスク５側に押圧付勢する。このとき、押圧支持部１６５の先端側に設けた係合突起１６７がアーム支持板１４２及びヘッド支持アーム１４１に連通して穿設された係合孔１６６に係合する。また、押圧支持部１６５の両側に突設した押圧支持片１６８，１６９がアーム支持板１４２の基端部側に形成された支持突片１５２，１５３を押圧支持する。
【００８５】
このようにヘッド支持アーム１４１上に重ね合わされて支持アーム取り付け片１３５上に支持されたアーム固定部材１４４は、このアーム固定部材１４４に穿設したネジ挿通孔１６０及びヘッド支持アーム１４１に穿設したネジ挿通孔１０５に連通される固定ネジ１４９を支持アーム取り付け片１３５に穿設したネジ孔１７０の螺合することにより、支持アーム取り付け片１３５とともにヘッド支持アーム１４１の支持片１４３を挟持し、ヘッド支持アーム１４１を支持アーム取り付け片１３５に固定する。
【００８６】
このように構成された磁気ヘッド装置１３１は、支持アーム取り付け片１３５とともにヘッド支持アーム１４１を挟持して支持アーム取り付け片１３５に固定するアーム固定部材１４４に押圧支持部１６５を設けてヘッド支持アーム１４１を光ディスク５側に押圧付勢するようにしているので、ヘッド支持アーム１４１を光ディスク５側に変位させるための独立したバネ部材などを用いる必要がないので、部品点数の削減が図られ、組み立ても容易となる。
【００８７】
また、脆弱な板バネを用いて形成されるヘッド支持アーム１４１は、アーム固定部材１４４に設けた係合突起１６７が係合孔１６６する係合機構によりアーム固定部材１４４により支持されているので、ディスク記録再生装置が落下されるなどして衝撃が加えられたとしても、ヒンジ部として機能する支持アーム取り付け片１３５側の弾性変位部の変形を確実に防止することができる。
【００８８】
さらに、ヘッド支持アーム１４１上に重ね合わせられるアーム支持板１４２の基端部側に形成された支持突片１５２，１５３が、押圧支持部１６５の両側に突設した押圧支持片１６８，１６９により支持されているので、ヘッド支持アーム１４１のねじれ方向の変位が規制され、先端側に支持した磁気ヘッド素子１０４を安定した状態で光ディスク５に摺接させることができる。
【００８９】
上述した磁気ヘッド装置１３１には、ヘッド支持アーム１４１の変形を防止するための係合機構として、アーム固定部材１４４に係合突起１６７を設け、ヘッド支持アーム１４１側に係合孔１６６を設けて構成されているが、係合突起１６７と係合孔１６６が逆に設けるようにしてもよい。すなわち、図３４に示すように、ヘッド支持アーム１４１に重ね合わせられたアーム支持板１４２の一部を切り起こして係合突起１７１を設け、アーム固定部材１４４側にこの係合突起１７１が係合する係合孔１７２を設けるようにしてもよい。
【００９０】
また、図３５に示すように、アーム固定部材１４４の押圧支持部１６５の両側に突設した押圧支持片１６８，１６９の先端側に、ヘッド支持アーム１４１に重ね合わせられたアーム支持板１４２の基端部側の両側に形成した一対の係合凹部１７３，１７３にそれぞれ係合する一対の係合突起１７４，１７４を設けるようにしてもよい。
【００９１】
なお、ここで用いられるヘッド支持アーム１４１は、全体を弾性を有する板バネで形成し、アーム１４１の全体が弾性変形し得るように構成されているが、弾性を有する板バネの中途部を合成樹脂でモールドし、支持アーム取り付け片１３５への固定部側及び磁気ヘッド素子１０４を支持する先端側に板バネの一部を突出させて弾性変位部を構成するようにしたものであってもよい。
【００９２】
上述のように光ピックアップ装置４８に連結部材１３２を介して連結され、ディスク回転駆動機構４１によって回転駆動される光ディスク５を挟んで光ピックアップ装置４８に対向して配置される磁気ヘッド装置１３１は、図８に示すように、ヘッド支持アーム１４１をホルダ２３の天板部６２上に延在させている。ホルダ２３の天板部６２上に延在されたヘッド支持アーム１４１は、ホルダ２３の回動に伴って回動に伴って支持アーム取り付け片１３５への固定部側を弾性変位部をヒンジ部として回動変位される。
【００９３】
ところで、ヘッド支持アーム１４１の先端部に支持された磁気ヘッド素子１４０は、光ディスク５に対し情報信号を記録するときには、光ディスク５の信号記録領域に大きな磁界強度で外部磁界を印可するため、光ディスク５に摺接するように近接される。このとき、ヘッド支持アーム１４１は、図８及び図９に示すように、ホルダ２３の天板部６２に設けたヘッド挿入用開口部１８０を介してホルダ２３内に進入する。記録再生位置に移動されたホルダ２３内に進入されたヘッド支持アーム１４１の先端側に支持された磁気ヘッド素子１４０は、図３１に示すように、ホルダ２３に保持されてベース３６上のカートリッジ装着部３７に装着されたディスクカートリッジ１のカートリッジ本体４内に進入し、カートリッジ本体４内で回転駆動される光ディスク５の主面に摺接する。
【００９４】
また、光ディスク５に記録された情報信号の再生を行うときは、磁気ヘッド装置１３１からの外部磁界の印可は不要とされ、光ピックアップ装置４８から出射される光ビームで光ディスク５の信号記録領域を走査するのみで足りるので、磁気ヘッド素子１４０と光ディスク５が摺接することに発生する摩耗や摩耗に起因する損傷を防止しするため、磁気ヘッド素子１４０が光ディスク５の主面から離間される。光ディスク５の回転が停止された停止状態のときも、磁気ヘッド素子１４０が光ディスク５の主面から離間され、ヘッド支持アーム１４１はホルダ２３の外方に移動される。
【００９５】
さらに、ホルダ２３に保持されたディスクカートリッジ１をイジェクトする際、あるいはホルダ２３にディスクカートリッジ１を挿入操作する際にも、磁気ヘッド素子１４０がディスクカートリッジ１と衝突して損傷を受けることを防止するため、ヘッド支持アーム１４１はホルダ２３の外方に移動される。
【００９６】
本発明に係るディスク記録再生装置においては、操作モードに応じて磁気ヘッド素子１４０を光ディスク５に近接離間させるため、ヘッド支持アーム１４１を昇降操作させるヘッド昇降機構１８１が設けられている。ヘッド昇降機構１８１は、図８及び図９に示すように、ホルダ２３の天板部６２上に回動可能に支持されてヘッド支持アーム１４１を昇降操作する昇降操作板１８２と、昇降操作板１８２を回動操作する回動操作レバー１８３と、図７に示すように、ベース３６の下面側に配設され、回動操作レバー１８３を回動操作することによって昇降操作板１８２の回動を制御する昇降制御レバー１８４と、この昇降制御レバー１８４を移動操作する駆動モータ１８５とを備える。
【００９７】
昇降操作板１８２は、図９及び図３６に示すように、ヘッド支持アーム１４１の下面側に位置してヘッド支持アーム１４１を回動操作する回動操作部１８６を有し、この回動操作部１８６の基端部側の両側から一対の支持アーム１８７，１８７が突設されている。昇降操作板１８２は、ヘッド挿入用開口部１８０に差し渡すように配設され、支持アーム１８７，１８７の基端部側に突設した支軸１８８，１８８を天板部６２の一部を切り起こして形成した回動支持片１８９，１８９に枢支させ、支軸１８８，１８８を中心にしてヘッド支持アーム１４１を昇降操作する方向に回動可能に支持されている。この昇降操作板１８２は、天板部６２上に支持されたとき、回動操作部１８６の一側に突設し突起１９０が天板部６２の一部を切り欠いて形成された弾性支持アーム１９１によって押圧支持されることにより、天板部６２側に回動付勢されている。
【００９８】
回動操作レバー１８３は、一端側に昇降操作板１８２を回動操作するカム片１９２を立ち上がり形成した回動操作片１９３が設けられている。回動操作レバー１８３の他端側には、図３７に示すように、ホルダ２３の第２のカートリッジ保持部６４に沿って垂下され、ベース３６の下面側に配設される昇降制御レバー１８４に連結される連結片１９３が折り曲げ形成されている。この回動操作レバー１８３は、図３６に示すように、中途部を天板部６２に取り付けられる支軸１９５に回動可能に支持される。この回動操作レバー１８３のカム片１９２が形成された回動操作板１９３の一側には、昇降操作板１８２の回動操作部１８６から突設された被操作片１９７が重ね合わせられている。被操作片１９７は、回動操作レバー１８３が回動操作されることによりカム片１９２上に乗り上げていく。被操作片１９７は、昇降操作板１８２が天板部６２に設けた弾性支持アーム１９１に天板部９２側に回動付勢されているので、カム片１９２上又は回動操作片１９３上に圧接されている。
【００９９】
回動操作板１９３は、天板部６２の一部を切り起こして形成したＬ字状をなす係止片１９６に係止され、天板部６２からの浮き上がりが防止されている。回動操作片１９３の一側には、図８及び図３６に示すように、回動操作レバー１８３が昇降操作板１８２をホルダ２３側に回動させる下降位置に回動されたとき、昇降操作板１８２に設けた被操作片１９７が係合し、昇降操作板１８２が天板部６２から離間する上昇方向への回動を規制する回動規制片１９８が設けられている。
【０１００】
昇降制御レバー１８４は、図７及び図４０に示すように、ベース３６の底面側に配設され、ベース３６に設けた支軸２０１，２０１に長孔２０２，２０２を挿通し、これら長孔２０２，２０２の範囲でベース３６の前後方向に亘る図７及び図４０中矢印Ｍ１方向及び矢印Ｍ２方向に移動可能に支持されている。昇降制御レバー１８４の一端側には、回動操作レバー１８３が連結される連結アーム２０３と駆動モータ１８５に連結される一側面にラックギヤ２０４が形成されたラック板２０５が分岐するように形成されている。連結アーム２０３の先端側には、係合孔２０６が穿設され、ベース３６の下面側に延長された回動操作レバー１８３の他端側に設けた連結片１９３の先端側が挿通係合されている。
【０１０１】
連結片１９３を昇降制御レバー１８４に連結した回動操作レバー１８３は、昇降制御レバー１８４が図４０中矢印Ｍ１方向及び矢印Ｍ２方向に移動操作されることにより、支軸１９５を中心に図４０中矢印Ｎ１方向及び矢印Ｎ２方向に回動操作される。
【０１０２】
昇降制御レバー１８４の駆動モータ１８５への連結は、駆動モータ１８５の駆動軸に取り付けれたウォームギヤ２０７に噛合された減速ギヤ機構２０８の最終段のギヤにラックギヤ２０４を噛合させて行われている。昇降制御レバー１８４は、駆動モータ１８５が駆動することにより、駆動モータ１８５の回転方向に応じて図４０中矢印Ｍ１方向又は矢印Ｍ２方向に移動操作され、回動操作レバー１８３を図４０中矢印Ｎ１方向又は矢印Ｎ２方向に回動操作することによって昇降操作板１８２を回動操作しヘッド支持アーム１４１を昇降操作してヘッド支持アーム１４１の先端に支持した磁気ヘッド素子１４０を光ディスク５に近接離間させる。
【０１０３】
ところで、上述したヘッド昇降機構１８１には、昇降制御レバー１８４の位置を検出し、その検出出力に基づいて駆動モータ１８５の駆動方向を制御して、磁気ヘッド素子１４０が光ディスク５に近接した下降位置又は光ディスク５から離間した上昇位置に移動するように制御する磁気ヘッド装置１３１の昇降制御機構が設けられている。この昇降制御機構は、図４０に示すように、昇降制御レバー１８４の他端側の一側に突設された１つの検出片２１０と、この検出片２１０の位置を検出する検出素子２１１とからなる検出機構２１２を備える。この検出機構２１２を構成する検出素子２１１は、昇降制御レバー１８４の移動方向に並列して発光素子２１３と受光素子２１４を設けたフォトカプラのの如き光学的検出素子が用いられる。
【０１０４】
この検出機構２１２は、昇降制御レバー１８４がベース３６の最も内方側に移動され、回動操作レバー１８３を支軸１９５を中心にして図４０中矢印Ｎ２方向に回動させ、ヘッド支持アーム１４１を降下させ、磁気ヘッド素子１４０が光ディスク５に接触する情報信号の記録モードが選択された状態にあるとき、図４０に示すように、検出片２１０が検出素子２１１から外れた位置に移動される。検出片２１０が検出素子２１１から外れた位置に移動された状態にあるときには、検出素子２１１から検出出力が出力されない状態である検出機構２１２がＯＦＦ状態となされている。すなわち、検出片２１０が検出素子２１１から外れた位置に移動された状態にあるときには、発光素子２１３から出射された検出光が検出片２１０によって反射される戻り光がないので、受光素子２１４での戻り光の検出が行われることがなく、検出素子２１１は検出出力を出力することがないＯＦＦ状態となる。
【０１０５】
なお、昇降制御レバー１８４が記録モードを選択した位置に移動されたとき、この昇降レバー１８４の一側に設けたホルダロック片２００が、図１１に示すように、ホルダ２３の第２のカートリッジ保持部６４を構成するカートリッジ支持片６８の一部を切り起こして形成された係合片１９９が図４０に示すように係合し、ホルダ２３のベース３６から離間する方向の回動が規制される。
【０１０６】
また、昇降制御レバー１８４がベース３６の前面側に最も移動され、回動操作レバー１８３を支軸１９５を中心にして図４２中矢印Ｎ１方向に回動させ、ヘッド支持アーム１４１を上昇させ、磁気ヘッド素子１４０を光ディスク５から離間させた再生モード又はストップモードが選択された状態にあるときも、図４２に示すように、検出片２１０が検出素子２１１から外れた位置に移動され、検出機構２１２はＯＦＦ状態となされる。
【０１０７】
そして、昇降制御レバー１８４が図４０に示すベース３６の最も内方側に移動された位置と、図４２に示すベース３６の前面側に最も移動され位置との中間位置にある図４１に示す位置にあるときには、検出片２１０が検出素子２１１に対向し、発光素子２１１から出射された検出光が検出片２１０が反射されて受光素子２１４によって検出され、検出素子２１１から検出出力が出力され、検出機構２１２がＯＮ状態となる。
【０１０８】
そこで、この検出機構２１２を用いて、磁気ヘッド素子１４１が光ディスク５から離間し、ホルダ２３の上方側に上昇されたストップモードにあることを検出する状態を説明する。
【０１０９】
この検出機構２１２においては、昇降制御レバー１８４の位置を検出して磁気ヘッド支持アーム１４１の昇降位置を検出するため、電源投入の初期状態で、検出素子２１１からの出力があるか否か、すなわち、検出機構２１２がＯＮであるかＯＦＦであるかを確認する。この確認は、ディスク記録再生装置内に設けられる制御回路部によって行われる。ここで、検出素子２１１から検出出力が出力されるＯＮ状態にあることが確認されたときには、昇降制御レバー１８４が図４１に示す中間位置にあることが検出される。検出機構２１２がＯＮ状態にあることが検出された後、昇降制御レバー１８４を図４０中矢印Ｍ２方向に移動させるように駆動モータ１８５を一旦一方向に回転駆動させ、検出機構２１２がオフになった場合には、図４１に示すように昇降制御レバー１８４がベース３６の前面側に移動され、磁気ヘッド素子１４０が光ディスク５から離間されたストップモードの位置にあることが検出される。
【０１１０】
また、電源投入の初期状態で、検出素子２１１から検出出力が出力されない検出機構２１２がＯＦＦ状態にあることが確認されたときには、昇降操作レバー１８４が図４０に示すベース３６の最も内方側に移動され、ヘッド支持アーム１４１を降下させた記録モードにあるか、図４２に示すベース３６の前面側に最も移動されヘッド支持アーム１４１を上昇させたストップモードのいずれかの位置にあることが検出される。ここで、上述の場合と同様に、昇降制御レバー１８４を図４１中矢印Ｍ２方向に移動させるように駆動モータ１８５を一旦一方向に回転駆動させる。駆動モータ１８５が一方向に所定時間回転駆動された後も検出機構２１２がＯＦＦ状態を維持するときには、昇降制御レバー１８４が、図４２に示すベース３６の前面側に最も移動されストップモードの位置に移動されたことが検出される。また、駆動モータ１８５が一方向に所定時間回転駆動された後、一旦検出機構２１２がＯＮとされ、その後ＯＦＦ状態が検出されたときには、昇降制御レバー１８４が、図４２に示すベース３６の前面側に最も移動されストップモードの位置に移動されたことが検出される。
【０１１１】
上述のように構成された磁気ヘッド装置１３１の昇降制御機構は、昇降制御レバー１８４に設けた１つの検出片２１０と、この検出片２１０の位置を検出する１つの検出素子２１１とからなる検出機構２１２により昇降制御レバー１８４の位置を検出し、昇降制御レバー１８４の一方向に移動させるように駆動モータ１８５を一方向に駆動させることによって昇降制御レバー１８４を一定の位置に移動させるようにしているので、複数の位置に移動される昇降制御レバー１８４の位置を１つの検出機構２１２で検出することができ、検出機構２１２の構成を簡素化でき、ディスク記録再生装置への設置スペースを小さくし、装置自体の小型化に寄与することができる。
【０１１２】
また、上述の例では、電源の投入時に、昇降制御レバー１８４を図４２に示すようにベース３６の前面側に最も移動し、ヘッド支持アーム１４１を上昇位置に移動させるようにしているので、記録モードがが選択されない限り常に磁気ヘッド素子１４０を光ディスク５から離間した位置にすることができるので、磁気ヘッド素子１４０と光ディスク５とを不用意に摺接すること回避することができ、磁気ヘッド素子１４０及び光ディスク５の保護を図ることができる。
【０１１３】
上述の例では、検出素子２１１に発光素子２１３及び受光素子２１４を備えた光学的検出手段を用いて検出機構２１２を構成しているが、検出素子には、検出片２１０によって押圧操作されることによって検出片２１０を検出するような押圧操作式の検出スイッチを用いるようにしてもよい。
【０１１４】
また、昇降制御レバー１８４の他端側には、図４２に示すように、蓋体２２を装置本体２１を閉塞する位置にロックするロックレバー２２２と蓋体開放操作釦２４の押圧操作によって移動操作されるロック解除レバー２２３とを関連させるロック解除伝達部材２２３が設けられている。このロック解除伝達部材２２０は、線状バネをＵ字状に折り曲げて形成され、基端部側を昇降制御レバー１８４の他端側に設けた支持部２２４に支持されて、昇降制御レバー１８４の移動方向と直交する方向に回動変位可能に取り付けられている。
【０１１５】
ロック解除伝達部材２２０は、昇降制御レバー１８４が図４２に示すようにベース３６の前面側に最も移動され、磁気ヘッド素子１４０が光ディスク５から離間された上昇位置にあるストップモードの位置に移動されたとき、ベース３６の前面側に突出し、ロックレバー２２２とロック解除レバー２２３との間に進入し、蓋体開放操作釦２４の押圧操作によって移動操作されるロック解除レバー２２３によってロックレバー２２２の移動操作を可能となし、蓋体２２のロック解除を可能とする。
【０１１６】
また、ロック解除伝達部材２２０は、昇降制御レバー１８４が図４０に示すように昇降制御レバー１８４がベース３６の最も内方側に移動され、磁気ヘッド素子１４０が光ディスク５に近接した下降位置にあるときには、ロックレバー２２２とロック解除レバー２２３との間から退出し、ロックレバー２２２の操作を不能とする状態とする。
【０１１７】
このようなロック解除伝達部材２２０を備えることにより、磁気ヘッド素子１４０が光ディスク５に摺接可能な状態にあるホルダ２３の内方に降下された状態にあるときには、蓋体２２の開放操作が禁止されるので、情報信号の記録途中に誤ってディスクカートリッジ１がイジェクトされることを防止でき、情報信号の記録不良を防止できる。
【０１１８】
次に、上述のような構成を備えたディスク記録再生装置にディスクカートリッジ１をローディングし、このローディングされたディスクカートリッジ１に収納された光ディスク５に対し情報信号の記録再生をおこない、さらに、ローディングされたディスクカートリッジ１をイジェクトする一連の操作を説明する。
【０１１９】
このディスク記録再生装置にディスクカートリッジ１をローディングするには、蓋体開放操作釦２４の押圧操作して装置本体２１を閉塞した位置にある蓋体２２のロックを解除する。
【０１２０】
なお、ここに示すディスク記録再生装置は、記録モードが停止されたとき、すなわちストップ釦が操作されたときには、駆動モータ１８５が駆動され昇降制御レバー１８４が図４１に示すようにベース３６の前面側に最も移動され、磁気ヘッド素子１４０を光ディスク５から離間された上昇位置に移動させるとともに、ロック解除伝達部材２２０をロックレバー２２２とロック解除レバー２２３との間に進出させ、蓋体開放操作釦２４の操作によってロックレバー２２２の移動操作を可能な状態とする。
【０１２１】
蓋体２２のロックが解除されると、蓋体２２は、ホルダ２２の天板部６２に一体に設けた第１及び第２の蓋体回動付勢板９１，９２によって押圧され、図２０に示すように、ホルダ２３から離間する方向に回動される。蓋体２２のロックを解除し、蓋体２２とともにホルダ２３をベース３６から離間する上昇位置まで回動し、図５に示すように、前面側のカートリッジ挿脱口６９を外方に臨ませる。
【０１２２】
このとき、ホルダ２３は、図１８に示すように、第１のカートリッジ保持部６３側に設けた係合片８６がベース３６側に設けた係止部８７に係止され、さらなる上昇方向への回動が規制され、第１の軸部７３が切欠部７５を介してホルダ２３側の第１の軸係合孔７１から外れてしまうことが防止されている。
【０１２３】
ここで、カートリッジ挿脱口６９を介してディスクカートリッジ１をホルダ２３内に挿入する。このとき、ディスクカートリッジ１は、シャッタ部材１０が取り付けられた一側面に直交する面を挿入端としてホルダ２３に挿入される。
【０１２４】
ディスクカートリッジ１がホルダ２３に挿入されると、カートリッジ本体４の一側面に設けたシャッタ開放溝進入溝１２にシャッタ開放部材９９が進入し、シャッタ部材１０のロックを解除するとともに、シャッタ部材保持片１０１の先端側に設けた係合突部１０２がシャッタ部材１０に設けた係合孔１３に係合し、シャッタ部材１０の移動を規制する。
【０１２５】
ここからさらにディスクカートリッジ１をホルダ２３の内方に挿入すると、カートリッジ本体４のみがホルダ２３内に挿入され、シャッタ部材１０に対し相対移動され、カートリッジ本体４に設けた記録再生用の開口部８，９が開放される。
【０１２６】
ディスクカートリッジ１がホルダ２３に挿入されるとき、イジェクトレバー１１１の押圧操作部１１５がディスクカートリッジ１の挿入端によって図２６中矢印矢印Ｅ１方向のベース３６の背面側に弾性変位される。そして、ディスクカートリッジ１がホルダ２３に保持される位置まで挿入されると、イジェクトレバー１１１は、押圧操作部１１５に設けた係止片１１９をホルダ２３の背面側に設けた係止孔１１８に係止され、弾性変位力が蓄積された状態でホルダ２３の背面側に保持され、ディスクカートリッジ１をホルダ２３から排出する方向に押圧する力を解除する。
【０１２７】
ディスクカートリッジ１をホルダ２３の挿入保持位置まで挿入したところで、ホルダ２３を蓋体２２とともに装置本体２１側であるベース３６側に回動すると、ホルダ２３に保持されたディスクカートリッジ１は、位置決めピン３８，３９に位置決め孔１４，１５を係合させてベース３６上に構成されたカートリッジ装着部３７に位置決め装着される。このとき、ディスクカートリッジ１に収納された光ディスク５がディスク回転駆動機構４１のディスクテーブル４４にクランプされ、ディスクテーブル４４と一体に回転可能な状態となる。
【０１２８】
ホルダ２３が蓋体２２とともにベース３６側に降下された下降位置まで移動され、蓋体２２が装置本体２１を閉塞する閉塞位置まで移動され、装置本体２１側に設けたロック機構にロックされると、図２１に示すように、ホルダ２３の天板部６２に設けた第１及び第２の蓋体回動付勢板９１，９２が蓋体２２の内面によって押圧され、天板部６２と面一になるよう弾性変位される。このとき、ホルダ２３の厚さ方向に初期変位量を異にして第１及び第２の蓋体回動付勢板９１，９２に一体に設けられた第１及び第２のカートリッジ押圧片９５，９６がホルダ２３内に突出するように弾性変位され、カートリッジ装着部３７に装着されたディスクカートリッジ１を押圧し、カートリッジ装着部３７からの浮き上がりを防止する。このとき、ホルダ２３の天板部６２に設けた第３のカートリッジ押圧片１０４も、ディスクカートリッジ１をカートリッジ装着部３７側に押圧付勢する。カートリッジ装着部３７に装着されたディスクカートリッジ１は、第１及び第２のカートリッジ押圧片９５，９６並びに第３のカートリッジ押圧片１０４により押圧付勢されることにより、正確に高さ方向の位置決めが図られる。
【０１２９】
ディスクカートリッジ１をカートリッジ装着部３７に装着したところで、例えば再生釦が操作され、電源の投入が行われると、上述したように、検出機構２１２によって昇降制御レバー１８４の位置を検出するとともに、駆動モータ１８５を一方向に回転駆動させ、図４２に示すように、ベース３６の前面側に移動し、磁気ヘッド素子１４０を光ディスク５から離間させたストップモードの状態となす。
【０１３０】
ここで、再生釦が操作された場合には、再生モードが選択され、ディスク回転駆動機構４１が駆動されて光ディスク５が回転駆動されるとともにピックアップ送り機構５６が駆動を開始して光ピックアップ装置４８が光ディスク５の径方向に移動操作され、半導体レーザから出射される光ビームによって光ディスク５の信号記録領域を走査することによって光ディスク５に記録された情報信号の再生が行われる。
【０１３１】
また、情報信号の記録を行うため、記録釦が操作され、電源の投入が行われると、上述したように、検出機構２１２によって昇降制御レバー１８４の位置を検出するとともに、駆動モータ１８５を一方向に回転駆動させ、図４２に示すように、ベース３６の前面側に移動し、磁気ヘッド素子１４０を光ディスク５から離間させたストップモードの状態となす。
【０１３２】
記録釦が操作され記録モードが選択された場合には、昇降制御レバー１８４が一旦ストップモードの位置に移動されたのち、駆動モータ１８５が他方向に逆転駆動し、昇降操作レバー１８４を図４２中矢印Ｍ１方向に移動させる。そして、検出機構２１２が検出片２１０を検出して一旦ＯＮとされた後、再びＯＦＦとなされると、昇降操作レバー１８４が図４０に示すベース３６の最も内方側に移動され、ヘッド支持アーム１４１を降下させた状態となす。
【０１３３】
記録モードが選択され、昇降制御レバー１８４が図４２中矢印Ｍ１方向に移動を開始すると、係合孔２０６に連結片１９３を係合させて昇降制御レバー１８４に連結された回動操作レバー１８３が支軸１９５を中心にして図４２中矢印Ｎ１方向に回動される。回動操作レバー１８３が図４１中矢印Ｎ１方向に回動されると、回動操作片１９３の一側に設けたカム片１９２がホルダ２３の前面側に移動する図３７中矢印Ｐ１方向に移動する。カム片１９２が図３８中矢印Ｐ１方向に移動すると、このカム片１９２の上方側の水平面上に位置した昇降操作板１８２の被操作片１９７がカム片１９２の傾斜面に沿って回動操作板１９３上に位置する下方側に移動する。被操作片１９７がカム片１９２にガイドされて下方側に移動すると、昇降操作板１８２は、支軸１８８，１８８を中心にして図３７中矢印Ｒ１方向のホルダ２３の天板部６２側に回動される。すなわち、昇降操作板１８２は、ホルダ２３に設けた弾性支持アーム１９１及びこの昇降操作板１８２上に延在されホルダ２３の内方に弾性変位されたヘッド支持アーム１４１により回動付勢されているので、被操作片１９７をカム片１９２上に圧接されているので、カム片１９２の移動に追随して支軸１８８，１８８を中心にして回動される。
【０１３４】
昇降操作板１８２が図３８中矢印Ｒ１方向のホルダ２３の天板部６２側に回動されると、この昇降操作板１８２上に延在されたヘッド支持アーム１４１は、アーム固定部材１４４に設けた押圧変位部１６５の付勢力を受けて図３７及び図３８中矢印Ｒ１方向のホルダ２３の内方に降下する方向に回動される。ヘッド支持アーム１４１がホルダ２３の内方に回動されると、図３７に示すように、ヘッド支持アーム１４１の先端部に取り付けられた磁気ヘッド素子１４０がディスクテーブル４４上にクランプされている光ディスクの主面に接触する。このとき、ヘッド支持アーム１４１は、押圧変位部１６５の付勢力を受けてホルダ２３の内方に回動付勢されているので、磁気ヘッド素子１４０を所定の接触圧をもって光ディスク５に接触させる。
【０１３５】
回動操作レバー１８３は、昇降操作板１８２を下降位置に回動させたとき、昇降操作板１８２に設けた被操作片１７９を回動規制片１９８に係合させる。昇降操作板１８２は、被操作片１７９が回動規制片１９８に係合されることにより、ホルダ２３から離間する図３７中矢印Ｒ２方向の上昇方向の回動が規制される。昇降操作板１８２の上昇方向の回動が規制されることから、ヘッド支持アーム１４１は、確実にホルダ２３の内方に回動された状態が維持され、磁気ヘッド素子１４０が光ディスク５から離間することが防止され、光ディスク５に正確に外部磁界を印可して情報信号の記録を行うことが可能となる。
【０１３６】
また、昇降操作レバー１８４が図４０に示すベース３６の最も内方側に移動された記録モードが選択されると、ホルダ２３に設けた係合片１９９が昇降操作レバー１８４に設けたホルダロック片２００に係合し、ホルダ２３がベース２３から離間する上昇方向への回動が規制され、ディスクカートリッジ１をカートリッジ装着部３７に装着した状態を確実に保持する。
【０１３７】
そして、記録モードが選択され、昇降操作レバー１８４が図４０に示すベース３６の最も内方側に移動されたことが検出されると、ディスク回転駆動機構４１が駆動されて光ディスク５が回転駆動されるとともにピックアップ送り機構５６が駆動を開始して磁気ヘッド装置１３１が磁気ヘッド素子１４０を光ディスク５に摺接させた状態で光ピックアップ装置４８と同期して光ディスク５の径方向に移動操作される。このとき、光ピックアップ装置４８の半導体レーザから出射される光ビームによって光ディスク５の信号記録領域が走査されるとともに、光ディスク５の光ビームが照射されている位置に磁気ヘッド素子１４０から記録すべき情報信号に基づいて変調された外部磁界が印可されることにより、情報信号の記録が行われる。
【０１３８】
所望の情報信号の記録を行った後、ディスク記録再生装置のストップ釦を操作して記録モードを停止すると、光ディスク５に記録した情報信号のアドレスなどの制御信号を記録した後、ディスク記録再生装置はストップモードとなる。
【０１３９】
ディスク記録再生装置は、記録モードからストップモードになるとき、駆動モータ１８５が一方向に回転駆動され、昇降制御板１８４が図４０中矢印Ｍ２方向のベース３６の前面側に移動される。駆動モータ１８５は、検出機構２１２が検出片２１０を検出して一旦ＯＮとされた後、再びＯＦＦとなされるまで駆動されると、昇降操作レバー１８４が図４２に示すようにベース３６の前面側に移動された位置に移動される。
【０１４０】
昇降制御板１８４が図４０中矢印Ｍ２方向に移動されると、昇降制御レバー１８４に連結された回動操作レバー１８３が支軸１９５を中心にして図４０中矢印Ｎ２方向に回動される。回動操作レバー１８３が図３９中矢印Ｎ２方向に回動されると、回動操作片１９３の一側に設けたカム片１９２がホルダ２３の背面側に移動する図３６中矢印Ｐ２方向に移動する。カム片１９２が図３７中矢印Ｐ２方向に移動すると、昇降操作板１８２の被操作片１９７がカム片１９２の傾斜面に沿ってカム片１９２の上方側の水平面上に乗り上げていく。被操作片１９７がカム片１９２上を乗り上げていくと、昇降操作板１８２が支軸１８８，１８８を中心にして図３７中矢印Ｒ２方向のホルダ２３の天板部６２から離間する方向に回動される。昇降操作板１８２が図３７中矢印Ｒ２方向に回動されると、昇降操作板１８２上に延在されたヘッド支持アーム１４１は、アーム固定部材１４４に設けた押圧変位部１６５の付勢力に抗して図３７及び図３８中矢印Ｒ２方向のホルダ２３の内方から離間する上昇方向に回動される。ヘッド支持アーム１４１がホルダ２３の外方に回動されると、ヘッド支持アーム１４１の先端部に取り付けられた磁気ヘッド素子１４０がディスクテーブル４４上にクランプされている光ディスクの主面から離間し、図３７に示すように、ディスクカートリッジ１内からホルダ２３の外方に移動される。
【０１４１】
このとき、ホルダ２３に設けた係合片２００と昇降操作レバー１８４に設けたホルダロック片２００との係合が解除され、ホルダ２３をベース３６から離間する上昇方向に回動可能となる。
【０１４２】
また、昇降操作レバー１８４が図４２に示すようにベース３６の前面側に移動されると、ロック解除伝達部材２２０がロックレバー２２２とロック解除レバー２２３との間に進出され、蓋体開放操作釦２４の操作によってロックレバー２２２の移動操作を可能な状態とする。
【０１４３】
ここで、蓋体開放操作釦２４の操作を操作して蓋体２２のロックを解除すると、蓋体２２は、ホルダ２３に一体に設けた第１及び第２の蓋体回動付勢板９１，９２の付勢力を受けてホルダ２３から離間する方向に回動され、ホルダ２３の前カートリッジ挿脱口６９を開放する。
【０１４４】
蓋体２２のロックを解除してホルダ２３から離間させた状態で、ホルダ２２を蓋体２２とともに図３９中矢印Ｃ２方向に回動すると、歩２３に設けた係合解除片１２２がイジェクトレバー１１５の係合片１２１を持ち上げるように図２９中矢印Ｇ１方向に押圧する。係合片１２１が図２９中矢印Ｇ１方向に押圧されると、取り付け片１１２がカシメ軸１１３を中心に図２７中Ｅ２方向に回動されるとともに弾性変位部１２４，１２４を中心にしてベース３６から離間する図２３及び図２８中矢印Ｈ１方向に回動変位される。取り付け片１１２が図２３中矢印Ｈ１方向に回動変位されると、押圧操作部１１５がホルダ２３の天板部６２から離間する方向の図２８中矢印Ｊ１方向に回動変位される。押圧操作部１１５が図２８中矢印Ｊ１方向に回動変位されると、図３０に示すように、係止片１１９の係止孔１１８への係合が解除される。係止片１１９の係止孔１１８への係合が解除されると、ディスクカートリッジ１のホルダ２３への挿入によって弾性変位され弾性変位力が蓄積されていたイジェクトレバー１１１の押圧操作部１１５がホルダ２３内に突出するように図２６及び図２７中矢印Ｅ２方向に弾性復帰し、ホルダ２３に挿入保持されたディスクカートリッジ１をホルダ２３の外方に突出させ、ホルダ２３から取り出し可能な状態となる。
【０１４５】
上述したホルダ装置は、ディスク記録再生装置のみならず、ディスクカートリッジを用いる記録及び／又は再生装置に広く適用できるものである。
【０１４６】
【発明の効果】
上述したように、本発明に係る磁気ヘッド装置は、ディスク状記録媒体の信号記録領域を走査する磁気ヘッド素子が先端側に支持されたヘッド支持アームを支持基台に固定するアーム固定部材を用いてヘッド支持アームを弾性変位するようにしているので、ヘッド支持アームを弾性変位させるための独立の部材を設ける必要がなく、部品点数が削減され、組み立てが容易となる。
【０１４７】
また、ヘッド支持アームは、一部が係合機構を用いてアーム固定部材に係合されているので、過剰な弾性変位が規制されることにより、確実な保護を図ることでき、さらに、先端側に支持した磁気ヘッド素子により、ディスク状記録媒体の信号記録領域に形成される記録トラックを正確に走査し、正確に情報信号の記録を行うことができる。
【図面の簡単な説明】
【図１】本発明に係るディスク記録再生装置に用いられるディスクカートリッジを示す斜視図である。
【図２】上記ディスクカートリッジの下面側を示す斜視図である。
【図３】本発明に係るディスク記録再生装置の一方の側面側を示す斜視図である。
【図４】本発明に係るディスク記録再生装置の他方の縁側を示す斜視図である。
【図５】蓋体を開放した状態を示すディスク記録再生装置の斜視図である。
【図６】本発明に係るディスク記録再生装置の記録再生部を示す分解斜視図である。
【図７】記録再生部が取り付けられるベースの底面側を示す斜視図である。
【図８】ベースにホルダを取り付けた状態を示す斜視図である。
【図９】本発明に係るディスク記録再生装置に用いられるホルダを示す斜視図である。
【図１０】ホルダの一方の側を示す側面図である。
【図１１】ホルダの他方の側を示す側面図である。
【図１２】ホルダを支持するベースに設けられた軸部を示す斜視図である。
【図１３】上記軸部の正面図である。
【図１４】軸部を構成するベースに設けられた立ち上がり片を示す斜視図である。
【図１５】上記立ち上がり片の先端側に形成された軸部を構成する突片を折り曲げた状態を示す斜視図である。
【図１６】突片を成形して軸部を形成する状態を示す正面図である。
【図１７】ホルダをベースに取り付ける状態を示す斜視図である。
【図１８】ホルダをベースに取り付けた状態を示す側面図である。
【図１９】ホルダをベース側に回動させた状態を示す側面図である。
【図２０】ホルダに設けた第１及び第２の蓋体回動付勢板によって蓋体がホルダから離間された状態を示す正面図である。
【図２１】蓋体が装置本体を閉塞した位置に回動され、ホルダに設けた第１及び第２の蓋体回動付勢板が蓋体によって弾性変形された状態を示す正面図である。
【図２２】本発明に係るディスク記録再生装置に用いられるイジェクト機構を示す分解斜視図である。
【図２３】イジェクトレバーをベースに取り付けた状態を示す正面図である。
【図２４】ベースに配設したイジェクト機構を示す平面図である。
【図２５】ホルダに挿入されたディスクカートリッジによってイジェクトレバーが押圧操作される状態を示す側面図である。
【図２６】ホルダに挿入されたディスクカートリッジによってイジェクトレバーが押圧操作された状態を示す平面図である。
【図２７】ディスクカートリッジがホルダに挿入され、イジェクトレバーがホルダの背面側に係止された状態を示す平面図である。
【図２８】イジェクトレバーがホルダの背面側に係止された状態を示す背面図である。平面図である。
【図２９】ホルダによってイジェクトレバーを回動変位させる状態を示す側面図である。
【図３０】ホルダの背面側に係止されたイジェクトレバーがホルダから外れる状態を示す背面図である。
【図３１】光ピックアップ装置に磁気ヘッド装置を連結した状態を示す側面図である。
【図３２】本発明に係る磁気ヘッド装置を示す分解斜視図である。
【図３３】本発明に係る磁気ヘッド装置を示す斜視図である。
【図３４】本発明に係る磁気ヘッド装置の他の例を示す分解斜視図である。
【図３５】本発明に係る磁気ヘッド装置のさらに他の例を示す分解斜視図である。
【図３６】磁気ヘッド装置のヘッド支持アームを昇降操作する昇降操作機構を示す平面図である。
【図３７】ヘッド支持アームを降下させた状態を示す側面図である。
【図３８】ヘッド支持アームを上昇させた状態を示す側面図である。
【図３９】ホルダをディスクカートリッジの挿脱を可能とする位置に移動させたときのヘッド支持アームを示す側面図である。
【図４０】昇降制御レバーがヘッド支持アームを降下させた位置に移動させた状態を示す平面図である。
【図４１】昇降制御レバーが中間位置にある状態を示す平面図である。
【図４２】昇降制御レバーがヘッド支持アームを上昇させた位置に移動させた状態を示す平面図である。
【符号の説明】
１３１  磁気ヘッド装置、  １３２  連結部材、  １３５  支持アーム取り付け片、  １４０  磁気ヘッド素子、  １４１  ヘッド支持アーム、  １４２  アーム支持板、  １４４  アーム固定部材、  １５１  アーム支持部、  １６１  取付位置規制片、  １６２  係合突起、  １６３  係合孔。
【図１】
0004081885.tif 000002
【図２】
0004081885.tif 000003
【図３】
0004081885.tif 000004
【図４】
0004081885.tif 000005
【図５】
0004081885.tif 000006
【図６】
0004081885.tif 000007
【図７】
0004081885.tif 000008
【図８】
0004081885.tif 000009
【図９】
0004081885.tif 000010
【図１０】
0004081885.tif 000011
【図１１】
0004081885.tif 000012
【図１２】
0004081885.tif 000013
【図１３】
0004081885.tif 000014
【図１４】
0004081885.tif 000015
【図１５】
0004081885.tif 000016
【図１６】
0004081885.tif 000017
【図１７】
0004081885.tif 000018
【図１８】
0004081885.tif 000019
【図１９】
0004081885.tif 000020
【図２０】
0004081885.tif 000021
【図２１】
0004081885.tif 000022
【図２２】
0004081885.tif 000023
【図２３】
0004081885.tif 000024
【図２４】
0004081885.tif 000025
【図２５】
0004081885.tif 000026
【図２６】
0004081885.tif 000027
【図２７】
0004081885.tif 000028
【図２８】
0004081885.tif 000029
【図２９】
0004081885.tif 000030
【図３０】
0004081885.tif 000031
【図３１】
0004081885.tif 000032
【図３２】
0004081885.tif 000033
【図３３】
0004081885.tif 000034
【図３４】
0004081885.tif 000035
【図３５】
0004081885.tif 000036
【図３６】
0004081885.tif 000037
【図３７】
0004081885.tif 000038
【図３８】
0004081885.tif 000039
【図３９】
0004081885.tif 000040
【図４０】
0004081885.tif 000041
【図４１】
0004081885.tif 000042
【図４２】
0004081885.tif 000043